(57)【要約】      （修正有）【課題】ポットの転倒時にも湯がオーバーフローしにくい、ポット用オーバーフロー防止装置を提供する。【解決手段】水を煮沸し、ポット内のスチーム圧力がある程度に達すると、スチーム圧力で弾性膜４１の常閉切れ目を開かせ、スチームを排出し、そして、ポット内の圧力を減少する。突然ポットが倒れたとき、弾性膜で水流れを阻止し、そして、流れ出た湯でやけどする事故が防止でき、たとえ水の圧力が大きすぎ、弾性膜で水流れを阻止できない場合でも、緩衝溝５０で水流れを阻止できる。ハンドルでポットの重心が動いたので、突然ポットが倒れるとき、スチーム出口の位置が下の方に向く場合が多く、湯が弾性膜を通して緩衝溝に流れ、ポット外にオーバーフローする前に、まず緩衝溝に設置されたオーバーフロー防止パイプ６０を通さなければならなく、そこで、緩衝溝の使用効率を改善する。【選択図】図１
0003164258.tif 000002
【実用新案登録請求の範囲】
【請求項１】
一つのポット蓋本体が設置され、前記ポット蓋本体には一つの減圧スリーブが設置され、前記減圧スリーブの下端はポットの内腔とつながり、その上端は外部空間とつながり、そして、前記減圧スリーブの中部には１層の弾性膜が設置され、前記弾性膜には一つの常閉切れ目が設置される倒れたポットのオーバーフロー防止装置。
【請求項２】
前記減圧スリーブはシリカゲル製のスリーブであることを特徴とする請求項１に記載の倒れたポットのオーバーフロー防止装置。
【請求項３】
前記弾性膜はシリカゲル製の膜であることを特徴とする請求項１に記載の倒れたポットのオーバーフロー防止装置。
【請求項４】
前記切れ目は十字型の切れ目であることを特徴とする請求項１あるいは請求項２あるいは請求項３に記載の倒れたポットのオーバーフロー防止装置。
【請求項５】
もう一つの緩衝溝が設置され、前記緩衝溝は一つの緩衝溝の蓋と、前記蓋本体とで囲んで構成されており、前記減圧スリーブの上端は前記緩衝溝とつながり、そして、前記緩衝溝にはまだ外部空間とつながるスチーム出口が設置されることを特徴とする請求項１に記載の倒れたポットのオーバーフロー防止装置。
【請求項６】
前記ポットには一つのハンドルがあり、前記緩衝溝内には一つのオーバーフロー防止パイプが設置され、前記オーバーフロー防止パイプはポットのハンドルの方へ向いて設置され、その一端は前記緩衝溝内に伸ばし、もう一端は前記スチーム出口であることを特徴とする請求項５に記載の倒れたポットのオーバーフロー防止装置。
【請求項７】
前記緩衝溝に伸ばした前記オーバーフロー防止パイプの長さは少なくとも前記緩衝溝の長さの１／２であることを特徴とする請求項６に記載の倒れたポットのオーバーフロー防止装置。
【考案の詳細な説明】
【技術分野】
【０００１】
本考案はポットに関し、特に倒れたポットのオーバーフロー防止装置に関する。
【背景技術】
【０００２】
ポットを使うとき、水を煮沸してスチームを産生し、前記スチームを排出するために、一つのスチーム通路を設置する必要があり、そして、圧力を蓄積して爆発する恐れが防止できる。だが、いったんポットが倒れ、ポット内の湯が前記スチーム通路からポット外にオーバーフローし、やけどする恐れがある。以上の問題を解決するために、普通には二つの技術手段がある。
【０００３】
第一に、スチーム通路口に一つのステンレス製ブロックを設置し、ポットが倒れた時、ステンレス製ブロックの重心が動き、スチーム通路口を閉じ、ポット内の湯がスチーム通路に流れることができなくなり、そして、湯がポット外にオーバーフローし、やけどする恐れを防ぐことができる。だが、前記デザインには一つ大きな問題があり、それは、ステンレス製ブロックはいつでも正しい場所への移動を保証できない。
【０００４】
第二に、スチーム通路に一つの緩衝溝を設置し、スチーム通路に流れた湯がポットからオーバーフローする前には、緩衝溝で貯蔵し、湯がポットからオーバーフローする恐れを減少させる。だが、前記デザインにも一つ大きな問題があり、それは、ポットが倒れると、流水が緩衝溝内の小さな体積を超えると、緩衝溝の役割が失い、緩衝溝の使用効率が低くなる。
【考案の概要】
【考案が解決しようとする課題】
【０００５】
本考案の目的として、前記従来技術のポットが倒れると、湯がオーバーフローしやすいという問題を克服した倒れたポットのオーバーフロー防止装置を提供する。
【課題を解決するための手段】
【０００６】
本考案は以下の技術手段を採用し、倒れたポットのオーバーフロー防止装置には、一つのポット蓋本体が設置され、前記ポット蓋本体には一つの減圧スリーブが設置され、前記減圧スリーブの下端はポットの内腔とつながり、その上端は外部空間とつながり、そして、前記減圧スリーブの中部には１層の弾性膜が設置され、前記弾性膜には一つの常閉切れ目が設置される。
【０００７】
もっとも好ましい実施例には、前記減圧スリーブはシリカゲル製のスリーブである。
【０００８】
もっとも好ましい実施例には、前記弾性膜はシリカゲル製の膜である。
【０００９】
もっとも好ましい実施例には、前記切れ目は十字型の切れ目である。
【００１０】
もっとも好ましい実施例には、もう一つ緩衝溝が設置され、前記緩衝溝は一つの緩衝溝の蓋と、前記蓋本体とで囲んで構成されており、前記減圧スリーブの上端は前記緩衝溝とつながり、そして、前記緩衝溝にはまだ外部空間とつながるスチーム出口が設置される。
【００１１】
もっとも好ましい実施例には、前記ポットには一つのハンドルがあり、前記緩衝溝内には一つのオーバーフロー防止パイプが設置され、前記オーバーフロー防止パイプはポットのハンドルの方へ向いて設置され、その一端は前記緩衝溝内に伸ばし、もう一端は前記スチーム出口である。
【００１２】
もっとも好ましい実施例には、前記緩衝溝に伸ばした前記オーバーフロー防止パイプの長さは少なくとも前記緩衝溝の長さの１／２である。
【００１３】
本考案の倒れたポットのオーバーフロー防止装置を使うと、水を煮沸し、ポット内のスチーム圧力がある程度に達すると、スチーム圧力で弾性膜の常閉切れ目を開かせ、スチームを排出し、そして、ポット内の圧力を減少する。突然ポットが倒れたとき、弾性膜で水流れを阻止し、そして、流れ出た湯でやけどする事故が防止でき、たとえ水の圧力が大きすぎ、弾性膜で水流れを阻止できない場合でも、緩衝溝で水流れを阻止できる。ハンドルでポットの重心が動いたので、突然ポットが倒れるとき、スチーム出口の位置が下の方に向く場合が多く、湯が弾性膜を通して緩衝溝に流れ、ポット外にオーバーフローする前に、まず緩衝溝に設置されたオーバーフロー防止パイプを通さなければならなく、そこで、緩衝溝の使用効率を改善する。
【００１４】
以上に述べたように、従来技術と比べると、本考案の倒れたポットのオーバーフロー防止装置には以下の特長がある。本考案は弾性膜を使って倒れたポットのオーバーフローが防止でき、オーバーフローの防止効果がよく、構造および組み立てが簡単で、コストが低い。そして、緩衝溝とオーバーフロー防止パイプとを設置し、倒れたポットのオーバーフロー防止という目的が実現でき、いっそう緩衝溝の使用効率を向上させる。
【図面の簡単な説明】
【００１５】
【図１】本考案の倒れたポットのオーバーフロー防止装置の実施形態のポット蓋の断面図をしめす。
【図２】本考案の倒れたポットのオーバーフロー防止装置の実施形態のポット全体の断面図をしめす。
【考案を実施するための形態】
【００１６】
以下は図と好ましい実施形態を併せて、本考案の内容をいっそう詳しく説明する。
【００１７】
図１と、図２とに示すように、本考案の倒れたポットのオーバーフロー防止装置である。前記ポットには一つのポット本体１０と、一つのハンドル２０と、一つのポット蓋本体３０とがあり、ポット本体１０にはポットの内腔１１が設置される。
【００１８】
ポット蓋本体３０には一つのシリカゲル製減圧スリーブ４０が設置される。ポット蓋本体３０と、一つの蓋５１とが組み合わせて、一つの緩衝溝５０に形成し、緩衝溝５０内には一つのオーバーフロー防止パイプ６０が設置される。
【００１９】
シリカゲル製減圧スリーブ４０はスリーブ構造で、その下端はポットの内腔１１とつながり、その中部には一つのシリカゲル製膜４１が設置され、前記シリカゲル製膜４１には一つの常閉十字型切れ目が設置される。
【００２０】
オーバーフロー防止パイプ６０はハンドル２０の方へ向って設置され、その一端６１は緩衝溝５０内に伸ばし、もう一端６２は外部空間とつながるスチーム出口に形成する。緩衝溝５０の使用効率を保証するために、緩衝溝５０内に伸ばしたオーバーフロー防止パイプ６０の一端６１の長さは前記緩衝溝５０の長さの１／２より長い。
【００２１】
本考案の倒れたポットのオーバーフロー防止装置を使うと、水を煮沸し、ポット内腔１１のスチーム圧力がある程度に達すると、スチームの圧力でシリカゲル製膜４１の常閉十字型切れ目を開かせ、スチームはオーバーフロー防止パイプ６０の端部６１と、オーバーフロー防止パイプ６０の端部６２とを次々と通して、ポット外に排出し、そして、ポット内腔１１の圧力を減少する。突然ポットが倒れたとき、シリカゲル製膜４１で水流れを阻止し、そして、流れ出た湯でやけどする事故が防止でき、たとえ水の圧力が大きすぎてシリカゲル製膜４１で水流れを阻止できない場合でも、緩衝溝５０で水流れを阻止できる。ハンドル２０でポットの重心が動いたので、突然ポットが倒れるとき、オーバーフロー防止パイプ６０のスチーム出口の位置が下の方に向く場合が多く、湯がシリカゲル製膜４１を通して緩衝溝５０に流れて、ポット外にオーバーフローする前に、まず緩衝溝５０に設置されたオーバーフロー防止パイプ６０を通さなければならなく、それに、緩衝溝５０内に伸ばしたオーバーフロー防止パイプ６０の一端６１の長さは前記緩衝溝５０の長さの１／２より長いので、緩衝溝５０に流れた水流れの体積は緩衝溝５０の大部分体積を超えなければならなく、そこで、緩衝溝の使用効率を改善する。
【００２２】
以上のように、本考案でただ好ましい実施例を開示したが、本考案のデザインアイディアはこれに限定されるものではなく、当業者が、本考案のアイディアと範囲に基づいて色々変形させることは可能であり、それらは本考案の請求項の保護範囲から排除するものではない。
【図１】
0003164258.tif 000003
【図２】
0003164258.tif 000004